(57)【要約】【課題】狭額縁化を図るとともに、タッチ領域の周縁部のセンサ検出感度を向上させることができるタッチパネル、タッチパネル付き表示装置を提供する。【解決手段】タッチパネルは、各々が第１方向に延在し、当該第１方向に交差する第２方向に配列された複数の第１電極と、各々が第２方向に延在し、第１方向に配列された複数の第２電極と、複数の第１電極と複数の第２電極との間に配置された絶縁膜と、を含み、各第１電極及び各第２電極は、メッシュ状の複数の導電線からなり、各第１電極は、複数の広幅部と、当該広幅部よりも第２方向の長さである幅が狭い複数の狭幅部とが、第１方向に交互に並ぶように形成され、複数の第１電極のうち端部に形成されている最端第１電極の広幅部及び狭幅部は、それぞれ、当該最端第１電極よりも内側に位置する内側第１電極の広幅部及び狭幅部よりも幅が狭くなっている。【選択図】図２
2017162234.tif 000002
【特許請求の範囲】
【請求項１】
各々が第１方向に延在し、当該第１方向に交差する第２方向に配列された複数の第１電極と、
各々が前記第２方向に延在し、前記第１方向に配列された複数の第２電極と、
前記複数の第１電極と前記複数の第２電極との間に配置された絶縁膜と、
を含み、
前記各第１電極及び前記各第２電極は、メッシュ状の複数の導電線からなり、
前記各第１電極は、複数の広幅部と、当該広幅部よりも前記第２方向の長さである幅が狭い複数の狭幅部とが、前記第１方向に交互に並ぶように形成され、
前記複数の第１電極のうち端部に形成されている最端第１電極の前記広幅部及び前記狭幅部は、それぞれ、当該最端第１電極よりも内側に位置する内側第１電極の前記広幅部及び前記狭幅部よりも幅が狭くなっている、
ことを特徴とするタッチパネル。
【請求項２】
前記各第２電極は、複数の広幅部と、当該広幅部よりも前記第１方向の長さである幅が狭い複数の狭幅部とが、前記第２方向に交互に並ぶように形成され、
前記複数の第２電極のうち端部に形成されている最端第２電極の前記広幅部及び前記狭幅部は、それぞれ、当該最端第２電極よりも内側に位置する内側第２電極の前記広幅部及び前記狭幅部よりも幅が狭くなっている、
ことを特徴とする請求項１に記載のタッチパネル。
【請求項３】
前記最端第１電極が、前記複数の第１電極のうち、前記第２方向における両端に位置する第１電極を構成し、
前記最端第２電極が、前記複数の第２電極のうち、前記第１方向における両端に位置する第２電極を構成し、
前記最端第１電極の前記第２方向における外側に位置する縁部は、前記第１方向に一直線に形成されており、
前記最端第２電極の前記第１方向における外側に位置する縁部は、前記第２方向に一直線に形成されている、
ことを特徴とする請求項２に記載のタッチパネル。
【請求項４】
前記複数の第１電極及び前記複数の第２電極で構成されるセンサ領域の外形は、前記タッチパネルを平面的に見て矩形状に形成されている、
ことを特徴とする請求項１に記載のタッチパネル。
【請求項５】
前記最端第１電極は、前記内側第１電極の前記広幅部と前記狭幅部とを前記第１方向に切断した形状に形成されており、
前記最端第２電極は、前記内側第２電極の前記広幅部と前記狭幅部とを前記第２方向に切断した形状に形成されている、
ことを特徴とする請求項２に記載のタッチパネル。
【請求項６】
前記最端第１電極の幅は、前記内側第１電極の幅の半分より大きく、
前記最端第２電極の幅は、前記内側第２電極の幅の半分より大きい、
ことを特徴とする請求項２に記載のタッチパネル。
【請求項７】
前記最端第１電極の一部のメッシュ密度は、前記内側第１電極のメッシュ密度より大きく、
前記最端第２電極の一部のメッシュ密度は、前記内側第２電極のメッシュ密度より大きい、
ことを特徴とする請求項２に記載のタッチパネル。
【請求項８】
前記最端第１電極の一部に第１補強導電線が形成されており、
前記最端第２電極の一部に第２補強導電線が形成されており、
前記第１補強導電線と、前記第２補強導電線と、前記最端第１電極の導電線と、前記最端第２電極の導電線とが、平面的に見て互いに交差するように形成されている、
ことを特徴とする請求項７に記載のタッチパネル。
【請求項９】
前記最端第１電極と前記内側第１電極との時定数が等しくなるように、前記最端第１電極の一部のメッシュ密度が定められ、
前記最端第２電極と前記内側第２電極との時定数が等しくなるように、前記最端第２電極の一部のメッシュ密度が定められている、
ことを特徴とする請求項７に記載のタッチパネル。
【請求項１０】
前記最端第１電極の外側に、当該最端第１電極と導通する第１延長配線が形成され、
前記最端第２電極の外側に、当該最端第２電極と導通する第２延長配線が形成されている、
ことを特徴とする請求項２に記載のタッチパネル。
【請求項１１】
前記最端第１電極と前記内側第１電極との時定数が等しくなるように、前記第１延長配線の配線幅が定められ、
前記最端第２電極と前記内側第２電極との時定数が等しくなるように、前記第２延長配線の配線幅が定められている、
ことを特徴とする請求項１０に記載のタッチパネル。
【請求項１２】
隣り合う前記第１電極の間及び隣り合う前記第２電極の間に、前記第１電極及び前記第２電極のいずれとも導通しないダミー電極が形成されている、
ことを特徴とする請求項１に記載のタッチパネル。
【請求項１３】
前記各第１電極及び前記各第２電極には、それぞれに電気的に接続される引き出し線が接続されており、
前記引き出し線に沿って接地配線が形成されている、
ことを特徴とする請求項１に記載のタッチパネル。
【請求項１４】
請求項１に記載のタッチパネルと、画像を表示する表示パネルとを含む、
ことを特徴とする表示装置。
【請求項１５】
前記タッチパネル及び前記表示パネルの周縁を覆う額縁を含み、
前記最端第１電極の一部が、前記額縁から露出している、
ことを特徴とする請求項１４に記載の表示装置。
【請求項１６】
各々が第１方向に延在し、当該第１方向に交差する第２方向に配列された複数の第１電極と、
各々が前記第２方向に延在し、前記第１方向に配列された複数の第２電極と、
前記複数の第１電極と前記複数の第２電極との間に配置された絶縁膜と、
を含み、
前記各第１電極及び前記各第２電極は、メッシュ状の複数の導電線からなり、
前記各第１電極は、複数の広幅部と、当該広幅部よりも前記第２方向の長さである幅が狭い複数の狭幅部とが、前記第１方向に交互に並ぶように形成され、
前記各第２電極は、複数の広幅部と、当該広幅部よりも前記第１方向の長さである幅が狭い複数の狭幅部とが、前記第２方向に交互に並ぶように形成され、
前記複数の第１電極のうち両端に形成されている最端第１電極の前記第２方向における外側に位置する縁部は、第１方向に一直線に形成されており、
前記複数の第２電極のうち両端に形成されている最端第２電極の前記第１方向における外側に位置する縁部は、第２方向に一直線に形成されている、
ことを特徴とするタッチパネル。
【発明の詳細な説明】
【技術分野】
【０００１】
本発明は、タッチパネル、及び表示装置に関し、より詳しくは静電容量方式のタッチパネルに関する。
【背景技術】
【０００２】
近年、表示パネルとタッチパネルとを組み合わせた表示装置が提案されている。タッチパネルの方式として、例えば、接触物とセンサ電極との間での静電容量の変化から接触物の位置を検出する静電容量方式が知られている。特許文献１には、複数の導電部領域と、各導電部領域の間に配置される非導電部領域とに区画された網目状電極を用いた静電容量方式のタッチパネルを搭載した表示装置が開示されている。
【０００３】
特許文献１では、網目状電極で構成されるセンサ領域の周縁に、当該周縁の輪郭に沿って切断した形状をした非導電部領域を配置し、この非導電部領域を表示装置の額縁で覆い隠している。
【先行技術文献】
【特許文献】
【０００４】
【特許文献１】特開２０１０−２６２５２９号公報
【発明の概要】
【発明が解決しようとする課題】
【０００５】
近年では、表示装置の額縁を狭くした狭額縁構造が求められている。特許文献１の表示装置の額縁を狭くした場合、センサ領域の周縁に位置する非導電部領域が額縁からはみ出してしまう。額縁の周縁に非導電部領域がはみ出すと、このはみ出た非導電部領域近傍のセンサ検出感度が十分に得られなくなることから、タッチ操作がされるタッチ領域の周縁部におけるセンサ検出感度も低下してしまう。
【０００６】
本発明は、上記課題に鑑みてなされたものであり、その目的は、狭額縁化を図るとともに、タッチ領域の周縁部のセンサ検出感度を向上させることができるタッチパネル、タッチパネル付き表示装置を提供することにある。
【課題を解決するための手段】
【０００７】
上記課題を解決するために、本発明のタッチパネルは、各々が第１方向に延在し、当該第１方向に交差する第２方向に配列された複数の第１電極と、各々が前記第２方向に延在し、前記第１方向に配列された複数の第２電極と、前記複数の第１電極と前記複数の第２電極との間に配置された絶縁膜と、を含み、前記各第１電極及び前記各第２電極は、メッシュ状の複数の導電線からなり、前記各第１電極は、複数の広幅部と、当該広幅部よりも前記第２方向の長さである幅が狭い複数の狭幅部とが、前記第１方向に交互に並ぶように形成され、前記複数の第１電極のうち端部に形成されている最端第１電極の前記広幅部及び前記狭幅部は、それぞれ、当該最端第１電極よりも内側に位置する内側第１電極の前記広幅部及び前記狭幅部よりも幅が狭くなっている、ことを特徴とする。
【０００８】
本発明に係るタッチパネルでは、前記各第２電極は、複数の広幅部と、当該広幅部よりも前記第１方向の長さである幅が狭い複数の狭幅部とが、前記第２方向に交互に並ぶように形成され、前記複数の第２電極のうち端部に形成されている最端第２電極の前記広幅部及び前記狭幅部は、それぞれ、当該最端第２電極よりも内側に位置する内側第２電極の前記広幅部及び前記狭幅部よりも幅が狭くなっていてもよい。
【０００９】
本発明に係るタッチパネルでは、前記最端第１電極が、前記複数の第１電極のうち、前記第２方向における両端に位置する第１電極を構成し、前記最端第２電極が、前記複数の第２電極のうち、前記第１方向における両端に位置する第２電極を構成し、前記最端第１電極の前記第２方向における外側に位置する縁部は、前記第１方向に一直線に形成されており、前記最端第２電極の前記第１方向における外側に位置する縁部は、前記第２方向に一直線に形成されていてもよい。
【００１０】
本発明に係るタッチパネルでは、前記複数の第１電極及び前記複数の第２電極で構成されるセンサ領域の外形は、前記タッチパネルを平面的に見て矩形状に形成されていてもよい。
【００１１】
本発明に係るタッチパネルでは、前記最端第１電極は、前記内側第１電極の前記広幅部と前記狭幅部とを前記第１方向に切断した形状に形成されており、前記最端第２電極は、前記内側第２電極の前記広幅部と前記狭幅部とを前記第２方向に切断した形状に形成されていてもよい。
【００１２】
本発明に係るタッチパネルでは、前記最端第１電極の幅は、前記内側第１電極の幅の半分より大きく、前記最端第２電極の幅は、前記内側第２電極の幅の半分より大きくてもよい。
【００１３】
本発明に係るタッチパネルでは、前記最端第１電極の一部のメッシュ密度は、前記内側第１電極のメッシュ密度より大きく、前記最端第２電極の一部のメッシュ密度は、前記内側第２電極のメッシュ密度より大きくてもよい。
【００１４】
本発明に係るタッチパネルでは、前記最端第１電極の一部に第１補強導電線が形成されており、前記最端第２電極の一部に第２補強導電線が形成されており、前記第１補強導電線と、前記第２補強導電線と、前記最端第１電極の導電線と、前記最端第２電極の導電線とが、平面的に見て互いに交差するように形成されていてもよい。
【００１５】
本発明に係るタッチパネルでは、前記最端第１電極と前記内側第１電極との時定数が等しくなるように、前記最端第１電極の一部のメッシュ密度が定められ、前記最端第２電極と前記内側第２電極との時定数が等しくなるように、前記最端第２電極の一部のメッシュ密度が定められていてもよい。
【００１６】
本発明に係るタッチパネルでは、前記最端第１電極の外側に、当該最端第１電極と導通する第１延長配線が形成され、前記最端第２電極の外側に、当該最端第２電極と導通する第２延長配線が形成されていてもよい。
【００１７】
本発明に係るタッチパネルでは、前記最端第１電極と前記内側第１電極との時定数が等しくなるように、前記第１延長配線の配線幅が定められ、前記最端第２電極と前記内側第２電極との時定数が等しくなるように、前記第２延長配線の配線幅が定められていてもよい。
【００１８】
本発明に係るタッチパネルでは、隣り合う前記第１電極の間及び隣り合う前記第２電極の間に、前記第１電極及び前記第２電極のいずれとも導通しないダミー電極が形成されていてもよい。
【００１９】
本発明に係るタッチパネルでは、前記各第１電極及び前記各第２電極には、それぞれに電気的に接続される引き出し線が接続されており、前記引き出し線に沿って接地配線が形成されていてもよい。
【００２０】
上記課題を解決するために、本発明の表示装置は、前記タッチパネルと、画像を表示する表示パネルとを含むことを特徴とする。
【００２１】
本発明に係る表示装置では、前記タッチパネル及び前記表示パネルの周縁を覆う額縁を含み、前記最端第１電極の一部が、前記額縁から露出していてもよい。
【００２２】
上記課題を解決するために、本発明のタッチパネルは、各々が第１方向に延在し、当該第１方向に交差する第２方向に配列された複数の第１電極と、各々が前記第２方向に延在し、前記第１方向に配列された複数の第２電極と、前記複数の第１電極と前記複数の第２電極との間に配置された絶縁膜と、を含み、前記各第１電極及び前記各第２電極は、メッシュ状の複数の導電線からなり、前記各第１電極は、複数の広幅部と、当該広幅部よりも前記第２方向の長さである幅が狭い複数の狭幅部とが、前記第１方向に交互に並ぶように形成され、前記各第２電極は、複数の広幅部と、当該広幅部よりも前記第１方向の長さである幅が狭い複数の狭幅部とが、前記第２方向に交互に並ぶように形成され、前記複数の第１電極のうち両端に形成されている最端第１電極の前記第２方向における外側に位置する縁部は、第１方向に一直線に形成されており、前記複数の第２電極のうち両端に形成されている最端第２電極の前記第１方向における外側に位置する縁部は、第２方向に一直線に形成されている、ことを特徴とする。
【発明の効果】
【００２３】
本発明によれば、タッチパネルにおいて、狭額縁化を図るとともにタッチ領域の周縁部のセンサ検出感度を向上させることができる。
【図面の簡単な説明】
【００２４】
【図１】本実施形態に係るタッチパネルを有するタッチパネル装置の全体構成を模式的に示す図である。
【図２】本実施形態に係るタッチパネルを模式的に示す図である。
【図３】図２のＡ−Ａ´断面図である。
【図４】本実施形態に係る第１電極ＸＰの構成を示す平面図である。
【図５】本実施形態に係る第２電極ＹＰの構成を示す平面図である。
【図６】センサ領域の電界強度について説明する図であり、第１方向に直交する平面にてタッチパネルを切断した断面図である。
【図７】第１電極ＸＰを構成する導電線のメッシュ形状の一例を示す図である。
【図８】第２電極ＹＰを構成する導電線のメッシュ形状の一例を示す図である。
【図９】図６に示す第１電極ＸＰと、図７に示す第２電極ＹＰとで構成されたセンサ領域を示す図である。
【図１０】補強導電線を追加する領域を示す平面図である。
【図１１】第１電極ＸＰに追加される第１補強導電線の一例を示す図である。
【図１２】第２電極ＹＰに追加される第２補強導電線の一例を示す図である。
【図１３】図１０に示す第１電極ＸＰと図１１に示す第２電極ＹＰとで構成されたセンサ領域を示す図である。
【図１４】延長配線を追加する領域を示す平面図である。
【図１５】第１電極ＸＰに追加される第１延長配線の一例を示す図である。
【図１６】第２電極ＹＰに追加される第２延長配線の一例を示す図である。
【図１７】接地配線が形成されるタッチパネル装置の一例を示す図である。
【図１８】本実施形態に係るタッチパネルを有する表示装置の全体構成を示す図である。
【発明を実施するための形態】
【００２５】
以下、本発明の実施形態について、図面を参照しながら説明する。なお、図面については、同一又は同等の要素には同一の符号を付し、重複する説明は省略する。
【００２６】
図１は、本実施形態に係るタッチパネル１０１を有するタッチパネル装置１００の全体構成を模式的に示す図である。図１に示すように、タッチパネル装置１００は、例えば、タッチパネル１０１と、駆動信号生成部１０２と、検出処理部１０３と、を含んで構成される。なお、駆動信号生成部１０２と、検出処理部１０３とは、１のコントローラで構成されてもよい。
【００２７】
タッチパネル１０１は、第１方向ｄ１に延在する複数の第１電極ＸＰ（ＸＰ１〜ＸＰｎ）と、第１方向ｄ１に交差する、より詳細には直交する第２方向ｄ２に延在する複数の第２電極ＹＰ（ＹＰ１〜ＹＰｍ）とを含む。第１電極ＸＰは、第２方向ｄ２に間隔を空けて配列されており、第２電極ＹＰは、第１方向ｄ１に間隔を空けて配列されている。第１電極ＸＰと第２電極ＹＰとの間には絶縁膜などが形成されており、第１電極ＸＰと第２電極ＹＰとは、平面的に見て、交差するように配置されている。ここで、ｎ，ｍは１以上の整数である。
【００２８】
以下の説明において、第１電極ＸＰ〜ＸＰｎにおいて共通の構成を説明するときは単に第１電極ＸＰと表記することとする。同様に、第２電極ＹＰ〜ＹＰｍにおいて共通の構成を説明するときは単に第２電極ＹＰと表記することとする。
【００２９】
駆動信号生成部１０２は、電極を駆動するための駆動信号（パルス信号）を複数の第１電極ＸＰへ順次出力する。具体的には、駆動信号生成部１０２は、例えば、第１電極ＸＰ１から第１電極ＸＰｎに順にパルス信号を出力する。
【００３０】
検出処理部１０３は、タッチの有無に基づく第１電極ＸＰと第２電極ＹＰとの間の静電容量変化に基づいて、タッチパネル１０１に対するタッチの有無やタッチされた位置を検出する。具体的には、第１電極ＸＰに入力されたパルス信号に基づいて第１電極ＸＰと第２電極ＹＰとの間に静電容量（電極間容量）が生じるが、当該電極間容量はタッチパネル１０１へのタッチの有無により変動する。例えば指等の接触物がタッチパネル１０１にタッチされると、接触物と各電極との間に静電容量（タッチ容量）が生じるため、当該タッチ容量に応じて電極間容量が小さくなる。そこで、電極間容量の変化をセンサ信号として取得することによりタッチパネル１０１に対するタッチの有無やタッチされた位置を検出する。
【００３１】
本実施形態に係るタッチパネル１０１の具体的な構成について説明する。図２は、本実施形態に係るタッチパネル１０１を模式的に示す図である。図２に示すように、タッチパネル１０１は、センサ領域１１０と、額縁領域１２０と、を含んで構成される。センサ領域１１０内には、タッチ領域１３０が位置している。
【００３２】
センサ領域１１０は、第１電極ＸＰ及び第２電極ＹＰが形成されている領域である。また、センサ領域１１０の外形は、平面的に見て、第１方向ｄ１に延在する２つの辺（第１辺１１１ａ、第３辺１１１ｃ）と、列方向に延在する２つの辺（第２辺１１１ｂ、第４辺１１１ｄ）とを有する略矩形状に形成されている。図２において、センサ領域１１０には、第１方向ｄ１に延在する５つの第１電極ＸＰ（ＸＰ１〜ＸＰ５）と、第２方向ｄ２に延在する５つの第２電極ＹＰ（ＹＰ１〜ＹＰ５）とが形成されている。図３は、図２のＡ−Ａ´断面図である。図３に示すように、第１電極ＸＰは絶縁膜２００の一方の面に形成され、第２電極ＹＰは絶縁膜２００の他方の面に形成されている。第１電極ＸＰの下方には、第１電極ＸＰを覆うように下側絶縁層２０１が形成されている。第２電極ＹＰの上方には、第２電極ＹＰを覆うように上側絶縁層２０２が形成されている。このように第１電極ＸＰと第２電極ＹＰとは絶縁膜２００を介して離間して形成されている。なお、第１電極ＸＰの配置位置と第２電極ＹＰの配置位置とが逆となってもよい。
【００３３】
額縁領域１２０は、センサ領域１１０を囲む枠状の領域であって、タッチパネル１０１を搭載する表示装置の額縁１０４が重畳する領域である。また、額縁１０４の一部は、センサ領域１１０の周縁部に重畳する。ここで、センサ領域１１０のうちタッチ操作がされる領域、すなわち額縁１０４に重畳しない領域をタッチ領域１３０とする。
【００３４】
額縁領域１２０には、各第１電極ＸＰと駆動信号生成部１０２（図示せず）とを電気的に接続する第１引き出し線１２１（１２１ａ〜１２１ｅ）と、各第２電極ＹＰと検出処理部１０３（図示せず）とを電気的に接続する第２引き出し線１２２（１２２ａ〜１２２ｅ）とが形成されている。第１引き出し線１２１を介して駆動信号生成部１０２（図示せず）から第１電極ＸＰへ駆動信号が出力される。第２引き出し線１２２を介して第２電極ＹＰから検出処理部１０３（図示せず）へセンサ信号が出力される。
【００３５】
ここで、図２に示した第１電極ＸＰ及び第２電極ＹＰの構成について詳細に説明する。図４は、本実施形態に係る第１電極ＸＰの構成を示す平面図である。図５は、本実施形態に係る第２電極ＹＰの構成を示す平面図である。
【００３６】
図４に示すように、第１電極ＸＰは、第１方向ｄ１に延在するとともに第２方向ｄ２の長さである幅が周期的に変化する形状を有している。具体的には、第１電極ＸＰは、幅の広い第１広幅部１１２と、幅の狭い第１狭幅部１１３とが交互に並ぶように形成されている。
【００３７】
とりわけ、センサ領域１１０の両端、つまり第２方向ｄ２の両端に位置する第１電極ＸＰ（以下、最端第１電極ＸＰｊとする）は、最端第１電極ＸＰｊより内側に位置する第１電極ＸＰ（以下、内側第１電極ＸＰｉとする）とは異なる形状を有している。図４においては、第１辺１１１ａ側に位置する第１電極ＸＰ１と、第３辺１１１ｃ側に位置する第１電極ＸＰ５とが最端第１電極ＸＰｊとなる。また、第１電極ＸＰ２〜第１電極ＸＰ４が内側第１電極ＸＰｉとなる。内側第１電極ＸＰｉは、第１方向ｄ１に、菱形形状の第１広幅部１１２と、矩形状の第１狭幅部１１３とが交互に並ぶように形成されている。一方で、最端第１電極ＸＰｊは、第１方向ｄ１に、三角形状の第１広幅部１１２と、矩形状の第１狭幅部１１３とが交互に並ぶように形成されている。本実施形態では、最端第１電極ＸＰｊの第２方向ｄ２における外側に位置する縁部（縁部ＸＥ１、縁部ＸＥ５）は、第１方向ｄ１に一直線に形成されている。なお、ここでいう最端第１電極ＸＰｊの第２方向ｄ２における外側に位置する縁部（縁部ＸＥ１、縁部ＸＥ５）とは、最端第１電極ＸＰｊを構成する各第１導電線１１６の、第２方向ｄ２において外側に位置する端部を結ぶ直線をいう。また、最端第１電極ＸＰｊ全体は、内側第１電極ＸＰｉの第１広幅部１１２と第１狭幅部１１３とを第１方向ｄ１に切断した形状に形成されている。そして、最端第１電極ＸＰｊの第１広幅部１１２は、内側第１電極ＸＰｉの第１広幅部１１２と比較して、第２方向ｄ２の長さである幅が狭く、最端第１電極ＸＰｊの第１狭幅部１１３は、内側第１電極ＸＰｉの第１狭幅部１１３と比較して、第２方向ｄ２の長さである幅が狭い。また、最端第１電極ＸＰｊは、平面的に見て、最端第１電極ＸＰｊの一部がタッチ領域１３０側に露出するように形成されている。本実施形態では、最端第１電極ＸＰｊは、平面的に見て、最端第１電極ＸＰｊの第１広幅部１１２の一部及び第１狭幅部１１３の一部がタッチ領域１３０側に露出するように形成されている。
【００３８】
同様に、図５に示すように、第２電極ＹＰは、第２方向ｄ２に延在するとともに第１方向ｄ１の長さである幅が周期的に変化する形状を有している。具体的には、第２電極ＹＰは、幅の広い第２広幅部１１４と、幅の狭い第２狭幅部１１５とが交互に並ぶように形成されている。
【００３９】
とりわけ、センサ領域１１０の両端、つまり第１方向ｄ１の両端に位置する第２電極ＹＰ（以下、最端第２電極ＹＰｊとする）は、最端第２電極ＹＰｊより内側に位置する第２電極ＹＰ（以下、内側第２電極ＹＰｉとする）とは異なる形状を有している。図５においては、第２辺１１１ｂ側に位置する第２電極ＹＰ１と、第４辺１１１ｄ側に位置する第２電極ＹＰ５とが最端第１電極ＹＰｊとなる。また、第２電極ＹＰ２〜第２電極ＹＰ４が内側第２電極ＹＰｉとなる。内側第２電極ＹＰｉは、第２方向ｄ２に、菱形形状の第２広幅部１１４と、矩形状の第２狭幅部１１５とが交互に並ぶように形成されている。一方で、最端第２電極ＹＰｊは、三角形状の第２広幅部１１４と、矩形状の第２狭幅部１１５とが交互に並ぶように形成されている。本実施形態では、最端第２電極ＹＰｊの第１方向ｄ１における外側に位置する縁部（縁部ＹＥ１、縁部ＹＥ５）は、第２方向ｄ２に一直線に形成されている。また、最端第２電極ＹＰｊ全体は、内側第２電極ＹＰｉの第２広幅部１１４と第２狭幅部１１５とを第２方向ｄ２に切断した形状に形成されている。そして、最端第２電極ＹＰｊの第２広幅部１１４は、内側第２電極ＹＰｉの第２広幅部１１４と比較し、第１方向ｄ１の長さである幅が狭く、最端第２電極ＹＰｊの第２狭幅部１１５は、内側第２電極ＹＰｉの第２狭幅部１１５と比較して第１方向ｄ１の長さである幅が狭い。また、最端第２電極ＹＰｊは、平面的に見て、最端第２電極ＹＰｊの一部がタッチ領域１３０側に露出するように形成されている。本実施形態では、最端第２電極ＹＰｊは、平面的に見て、最端第２電極ＹＰｊの第２広幅部１１３の一部及び第２狭幅部１１４の一部がタッチ領域１３０側に露出するように形成されている。
【００４０】
本実施形態では、図４に示す第１電極ＸＰと、図５に示す第２電極ＹＰとが重ね合わされることで、図２に示すセンサ領域１１０が形成されている。図２に示すように、第１広幅部１１２と第２広幅部１１４とは平面的に見て重畳することなく配置され、第１狭幅部１１３の一部と第２狭幅部１１５の一部とが平面的に見て交差するように配置されている。なお、第１狭幅部１１３の全体と第２狭幅部１１５の全体とが平面的に見て交差するように配置されていてもよい。
【００４１】
図６は、センサ領域１１０の電界強度について説明する図である。図６は、第１方向に直交する平面にてタッチパネルを切断した断面図である。図６では、第１電極ＸＰの一部（第１電極ＸＰ１〜第１電極ＸＰ３）を示している。図６の上段は、最端第１電極ＸＰｊである第１電極ＸＰ１に電圧を印加した場合の電界分布図を示し、図６の下段は、内側第１電極ＸＰｉである第１電極ＸＰ２に電圧を印加した場合の電界分布図を示している。図６に示すように、最端の第１電極ＸＰ１より外周側の電界強度は、第１電極ＸＰ１より内周側の電界強度より低くなる。したがって、特開２０１０−２６２５２９号公報のように、センサ領域周縁部に非導電部が位置する場合は（図６の比較例参照）、比較例に係るタッチ領域周縁部の電界強度は比較例に係るタッチ領域の内側の電界強度より低くなる。これに対して、本実施形態の場合は、タッチ領域１３０周縁部に最端第１電極ＸＰｊが位置するため、タッチ領域１３０周縁部の電界強度はタッチ領域１３０の内側の電界強度と比べて遜色のないレベルとなる。図６においては、第１電極ＸＰ１〜第１電極ＸＰ３における電界分布図を一例として示したが、最端第１電極ＸＰ５及び最端第２電極ＹＰｊ周辺においても同様の電界分布図となる。このように、本実施形態では、タッチ領域１３０の周縁部の電界強度を、タッチ領域１３０の内側の電界強度と比べて遜色のないレベルとすることができ、タッチ領域１３０周縁部のセンサ検出感度を向上させることができる。
【００４２】
その上、本実施形態では、最端第１電極ＸＰｊの第１広幅部１１２及び第１狭幅部１１３は、それぞれ、当該最端第１電極ＸＰｊよりも内側に位置する内側第１電極ＸＰｉの第１広幅部１１２及び第１狭幅部１１３よりも幅が狭くなっている。さらに、最端第２電極ＹＰｊの第２広幅部１１４及び第２狭幅部１１５は、それぞれ、当該最端第２電極ＹＰｊよりも内側に位置する内側第２電極ＹＰｉの第２広幅部１１４及び第２狭幅部１１５よりも幅が狭くなっている。このため、タッチ領域１３０周縁部のセンサ検出感度を確保しつつ、センサ領域１１０の大きさを仕様に応じて調整することができる。これにより、額縁１０４の大きさに合わせて最端第１電極ＸＰｊや最端第２電極ＹＰｊの幅を決定することにより、狭額縁化を図ることも可能となる。とりわけ、狭額縁化を効果的に達成するためには、最端第１電極ＸＰｊの第２方向ｄ２における外側に位置する縁部（縁部ＸＥ１、縁部ＸＥ５）が、第１方向ｄ１に一直線に形成されていることが好ましい。さらに、最端第２電極ＹＰｊの第１方向ｄ１における外側に位置する縁部（縁部ＹＥ１、縁部ＹＥ５）が、第２方向ｄ２に一直線に形成されていることが好ましい。
【００４３】
さらに、本実施形態では、最端第１電極ＸＰｊにおける第１狭幅部１１３の幅Ｗｅ１は、内側第１電極ＸＰｉにおける第１狭幅部１１３の幅Ｗｃ１の半分より大きくてもよい。また、最端第２電極ＹＰｊにおける第２狭幅部１１５の幅Ｗｅ２は、内側第２電極ＹＰｉにおける第２狭幅部１１５の幅Ｗｃ２の半分より大きくてもよい。これにより、最端第１電極ＸＰｊ及び最端第２電極ＹＰｊの面積が大きくなるため、タッチ領域１３０周縁部のセンサ検出感度をより向上させることができる。
【００４４】
なお、第１電極ＸＰ及び第２電極ＹＰの形状は、図４及び図５に示す例に限定されず、例えば直線状であってもよい。
【００４５】
本実施形態に係る第１電極ＸＰ及び第２電極ＹＰは、銅、銀等の導電率の高い導電性材料からなる複数の導電線によりメッシュ状に形成されている。
【００４６】
図７は、第１電極ＸＰを構成する導電線のメッシュ形状の一例を示す図である。図７に示すように、第１電極ＸＰは、複数の交点を有するように相互に交差する方向に延伸するメッシュ形状の複数の第１導電線１１６からなる。例えば、複数の第１導電線１１６は、２本の対角線の一方の長さがＤＶ、他方の長さがＤＨの複数の四角形からなるメッシュ形状を構成している。第１電極ＸＰ１〜第１電極ＸＰ５それぞれの、第１電極ＸＰの総面積に対する第１導電線１１６の占める割合（メッシュ密度）は略同一である。また、隣り合う第１電極ＸＰの間には、第１電極ＸＰ及び第２電極ＹＰのいずれとも導通しない第１ダミー電極ＤＰ１が形成されている。図７においては、第１ダミー電極ＤＰ１及び第１電極ＸＰは同一層に形成されている。図７に示すように、平面的に見て第１電極ＸＰと第１ダミー電極ＤＰ１との間に隙間ができるように第１ダミー電極ＤＰ１が形成されていることで、第１電極ＸＰと第１ダミー電極ＤＰ１との間を非導通としている。また、第１ダミー電極ＤＰ１は、第１電極ＸＰと同様にメッシュ形状の複数の導電線から構成されていてもよい。この場合、第１ダミー電極ＤＰ１の非導通性を確保するために、第１ダミー電極ＤＰ１はメッシュ状の複数の導電線を複数箇所で切断した形状をしていてもよい。なお、第１ダミー電極ＤＰ１は、第１電極ＸＰ及び第２電極ＹＰのいずれも形成されない層に形成されてもよい。
【００４７】
図８は、第２電極ＹＰを構成する導電線のメッシュ形状の一例を示す図である。図８に示すように、第２電極ＹＰは、複数の交点を有するように相互に交差する方向に延伸するメッシュ形状の複数の第２導電線１１７からなる。複数の第２導電線１１７は、第１電極ＸＰと同様に２本の対角線の一方の長さがＤＶ、他方の長さがＤＨの複数の四角形からなるメッシュ形状を構成している。第２電極ＹＰ１〜第２電極ＹＰ５それぞれの、第２電極ＹＰの総面積に対する第２導電線１１７の占める割合（メッシュ密度）は略同一である。また、隣り合う第２電極ＹＰの間には、第１電極ＸＰ及び第２電極ＹＰのいずれとも導通しない第２ダミー電極ＤＰ２が形成されている。図８においては、第２ダミー電極ＤＰ２及び第２電極ＹＰは、同一層に形成されている。図８に示すように、平面的に見て第２電極ＹＰと第２ダミー電極ＤＰ２との間に隙間ができるように第２ダミー電極ＤＰ２が形成されていることで、第２電極ＹＰと第２ダミー電極ＤＰ２との間を非導通にしている。また、第２ダミー電極ＤＰ２は、第２電極ＹＰと同様にメッシュ形状の複数の導電線から構成されていてもよい。この場合、第２ダミー電極ＤＰ２の非導通性を確保するために、第２ダミー電極ＤＰ２はメッシュ状の複数の導電線を複数箇所で切断した形状をしていてもよい。なお、第２ダミー電極ＤＰ２は、第１電極ＸＰ及び第２電極ＹＰのいずれも形成されない層に形成されてもよい。
【００４８】
図７に示す第１電極ＸＰと、図８に示す第２電極ＹＰとで構成されたセンサ領域１１０を図９に示す。センサ領域１１０において、複数の第１導電線１１６と複数の第２導電線１１７とは互いに導電線の間隔の半分だけずれるように配置されている。また、第１ダミー電極ＤＰ１を構成する複数の導電線と、複数の第２導電線１１７とは互いに導電線の間隔の半分だけずれるように配置されている。また、第２ダミー電極ＤＰ２を構成する複数の導電線と、複数の第１導電線１１６とは互いに導電線の間隔の半分だけずれるように配置されている。このようにして、センサ領域１１０全体において隣接する導電線の間隔は略等しくなる。したがって、第１電極ＸＰ及び第２電極ＹＰを重ね合わせた状態でタッチ領域１１０を平面的に見た場合に、タッチ領域１１０全体においてメッシュ密度が略均一になる。なお、第１電極ＸＰのメッシュ密度と第２電極ＹＰのメッシュ密度は略同一とする。
【００４９】
上述した通り、本実施形態では、最端第１電極ＸＰｊ及び最端第２電極ＹＰｊは、それぞれ内側第１電極ＸＰｉ及び内側第２電極ＹＰｉと形状を異ならせている。その結果、最端第１電極ＸＰｊ及び最端第２電極ＹＰｊは、それぞれ内側第１電極ＸＰｉ及び内側第２電極ＹＰｉと特性に差異が生じる。具体的には、最端第１電極ＸＰｊの面積は、内側第１電極ＸＰｉの面積より小さいため、最端第１電極ＸＰｊにおけるメッシュの交点は、内側第１電極ＸＰｉにおけるメッシュの交点より少なくなる。同様に、最端第２電極ＹＰｊの面積は、内側第２電極ＹＰｉの面積より小さいため、最端第２電極ＹＰｊにおけるメッシュの交点は、内側第２電極ＹＰｉにおけるメッシュの交点より少なくなる。特に、幅の狭い第１狭幅部１１３及び第２狭幅部１１５においてはメッシュの交点が少なくなることで断線が生じるおそれが仕様によっては顕在化し得る。
【００５０】
そこで、本実施形態では、最端第１電極ＸＰｊの一部に補強導電線を追加することで、最端第１電極ＸＰｊの一部のメッシュ密度を、内側第１電極ＸＰｉのメッシュ密度より大きくしている。また、最端第２電極ＹＰｊの一部に補強導電線を追加することで、最端第２電極ＹＰｊの一部のメッシュ密度を、内側第２電極ＹＰｉのメッシュ密度より大きくしている。図１０は、補強導電線を追加する領域を示す平面図である。図１０に示すように、補強導電線を追加する補強領域１５０は、センサ領域１１０の周縁部であって、額縁領域１２０に含まれる領域である。
【００５１】
図１１は、第１電極ＸＰに追加される第１補強導電線１２６の一例を示す図である。図１１は、センサ領域１１０の右下部を示している。図１１に示すように、センサ領域１１０の第３辺１１１ｃ側に形成されている最端第１電極ＸＰｊ（ここでは第１電極ＸＰ５）に複数の第１補強導電線１２６が形成されている。複数の第１補強導電線１２６と、複数の第１導電線１１６とが相互に交差するように、複数の第１補強導電線１２６及び第１電極ＸＰは同一層に形成されている。このように複数の第１補強導電線１２６が追加されることにより、最端第１電極ＸＰｊとしての第１電極ＸＰ５におけるメッシュの交点が増加する。図１１においては、複数の第１補強導電線１２６と複数の第１導電線１１６とは、平面的に見て第１導電線１１６の間隔の１／４だけずれるように互い違いに配置されている。なお、図１１においては、第１電極ＸＰ５について例示したが、センサ領域１１０の第１辺１１１ａ側に形成されている最端第１電極ＸＰｊとしての第１電極ＸＰ１においても同様に第１補強導電線１２６が形成されている。
【００５２】
図１２は、第２電極ＹＰに追加される第２補強導電線１２７の一例を示す図である。図１２は、センサ領域１１０の右下部を示している。図１２に示すように、センサ領域１１０の第４辺１１１ｄ側に形成されている最端第２電極ＹＰｊ（ここでは第２電極ＹＰ５）に複数の第２補強導電線１２７が形成されている。複数の第２補強導電線１２７と、複数の第２導電線１１７とが相互に交差するように、複数の第２補強導電線１２７及び第２電極ＹＰは同一層に形成されている。このように複数の第２補強導電線１２７が追加されることにより最端第２電極ＹＰｊとしての第２電極ＹＰ５におけるメッシュの交点が増加する。図１２においては、複数の第２補強導電線１２７と複数の第２導電線１１７とは、平面的に見て第２導電線１１７の間隔の１／４だけずれるように互い違いに配置されている。なお、図１２においては、第２電極ＹＰ５について例示したが、センサ領域１１０の第２辺１１１ｂ側に形成されている最端第２電極ＹＰｊとしての第２電極ＹＰ１においても同様に第２補強導電線１２７が形成されている。
【００５３】
図１３は、図１１に示す第１電極ＸＰと図１２に示す第２電極ＹＰとで構成されたセンサ領域１１０を示す図である。図１３は、センサ領域１１０の右下部を示している。上述のように、複数の第１補強導電線１２６と複数の第２補強導電線１２７とが形成されていることで、図１３に示すように、第１補強導電線１２６と第２補強導電線１２７とが互いに交差する領域（センサ領域１１０の角部）において、第１導電線１１６と、第２導電線１１７と、第１補強導電線１２６と、第２補強導電線１２７とは、平面的に見て互いに交差するように形成されている。具体的には、第１導電線１１６と、第２導電線１１７と、第１補強導電線１２６と、第２補強導電線１２７とは、平面的に見て第１導電線１１６（または第２導電線１１７）の間隔の１／４ずつずれるように互い違いに配置されている。なお、図１３においては、センサ領域１１０の第３辺１１１ｃと第４辺１１１ｄとが交差する角部について示したが、センサ領域１１０の４つの角部においても同様の構成となる。
【００５４】
このように、最端第１電極ＸＰｊに複数の第１補強導電線１２６が形成され、最端第２電極ＹＰｊに複数の第２補強導電線１２７が形成されていることで、センサ領域１１０の周縁部に位置する補強領域１５０のメッシュ密度は、タッチ領域１３０のメッシュ密度より大きくなる。これにより、最端第１電極ＸＰｊ及び最端第２電極ＹＰｊそれぞれにおけるメッシュの交点が増え、断線の発生のリスクを低減させるとともに、タッチ領域１３０の周縁部でのセンサ検出感度を向上させることができる。
【００５５】
また、補強領域１５０が額縁領域１２０に含まれることで、メッシュ密度の不均一に起因する導電線による筋状のむらが目視されにくくなる。さらに、額縁１０４の位置ずれが生じた場合にも補強領域１５０が額縁領域１２０に含まれるよう、タッチ領域１３０と補強領域１５０とを離間させてもよい。
【００５６】
また、本実施形態では、最端第１電極ＸＰｊ及び最端第２電極ＹＰｊそれぞれの外側に沿って帯状の延長配線を追加することで、最端第１電極ＸＰｊ及び最端第２電極ＹＰｊそれぞれのメッシュの交点を増やすこととしてもよい。図１４は、延長配線を追加する領域を示す平面図である。図１４に示すように、延長配線を追加する延長領域１５１は、センサ領域１１０の外側であって、額縁領域１２０に含まれる領域である。
【００５７】
図１５は、第１電極ＸＰに追加される第１延長配線１６０の一例を示す図である。図１５は、センサ領域１１０の右下部を示している。図１５に示すように、センサ領域１１０の第３辺１１１ｃ側に形成されている最端第１電極ＸＰｊ（ここでは第１電極ＸＰ５）の縁部ＸＥ５に沿って第１延長配線１６０が追加して形成されている。第１延長配線１６０は、最端第１電極ＸＰｊの縁部ＸＥ５に沿って第１方向ｄ１に延在する帯状の配線である。第１延長配線１６０及び第１電極ＸＰは同一層に形成されており、第１延長配線１６０は第１導電線１１６の延長上に配置されている。このように第１延長配線１６０が形成されることで第１電極ＸＰ５におけるメッシュの交点が増加する。なお、図１５においては、第１電極ＸＰ５について例示したが、センサ領域１１０の第１辺１１１ａ側に形成されている第１電極ＸＰ１においても同様に第１延長配線１６０が形成されている。
【００５８】
図１６は、第２電極ＹＰに追加される第２延長配線１７０の一例を示す図である。図１６は、センサ領域１１０の右下部を示している。図１６に示すように、センサ領域１１０の第４辺１１１ｄ側に形成されている最端第２電極ＹＰｊ（ここでは第１電極ＹＰ５）の縁部ＹＥ５に沿って第２延長配線１７０が追加して形成されている。第２延長配線１７０は、最端第２電極ＹＰｊの縁部ＹＥ５に沿って第２方向ｄ２に延在する帯状の配線である。第２延長配線１７０及び第２電極ＹＰは同一層に形成されており、第２延長配線１７０は第２導電線１１７の延長上に配置されている。このように第２延長配線１７０が形成されることで第２電極ＹＰ５におけるメッシュの交点が増加する。なお、図１６においては、第２電極ＹＰ５について例示したが、センサ領域１１０の第２辺１１１ｂ側に形成されている第２電極ＹＰ１においても同様に第２延長配線１７０が形成されている。
【００５９】
このように、最端第１電極ＸＰｊに第１延長配線１６０が追加して形成され、最端第２電極ＹＰｊに第２延長配線１７０が追加して形成されていることで、最端第１電極ＸＰｊ及び最端第２電極ＹＰｊそれぞれにおけるメッシュの交点が増え、断線の発生のリスクを低減させるとともに、タッチ領域１３０の周縁部でのセンサ検出感度を向上させることができる。
【００６０】
また、本実施形態では、最端第１電極ＸＰｊ及び最端第２電極ＹＰｊは、センサ領域１１０の周縁部を延在している。そのため、最端第１電極ＸＰｊと、額縁領域１２０に形成されている第２引き出し線１２２との距離が近くなり、最端第２電極ＸＰｊと、額縁領域１２０に形成されている第１引き出し線１２１との距離が近くなる。その結果、第１引き出し線１２１及び第２引き出し線１２２の影響により、センサ領域１１０の周縁部でのセンサ検出感度が低下するおそれが仕様によっては顕在化し得る。そこで、本実施形態では、第１引き出し線１２１及び第２引き出し線の影響を低減するために、第１引き出し線１２１及び第２引き出し線に沿って接地配線が形成されている。図１７は、接地配線が形成されるタッチパネル装置１００の一例を示す図である。図１７に示すように、第１引き出し線１２１に沿って第１接地配線１８１が形成されている。また、第２引き出し線１２２に沿って第２接地配線１８２が形成されている。第１接地配線１８１及び第２接地配線１８２は、それぞれ第１引き出し線１２１及び第２引き出し線１２２に沿って形成されていれば図１７に示す形状に限定されない。例えば、複数の第１接地配線１８１が第１引き出し線１２１を挟むように形成されていてもよい。また、第１接地配線１８１は、複数の導電線によりメッシュ状に形成されていてもよい。同様に、複数の第２接地配線１８２が第２引き出し線１２２を挟むように形成されてもよい。また、第２接地配線１８２は、複数の導電線によりメッシュ状に形成されていてもよい。
【００６１】
そして、図１７に示すように第１接地配線１８１が形成されると、最端第２電極ＹＰｊ（ここでは、第２電極ＹＰ５）の容量が増加し、最端第２電極ＹＰｊと内側第２電極ＹＰｉとの時定数に差異が生じてしまう。そこで、最端第２電極ＹＰｊと内側第２電極ＹＰｉとの時定数を合わせるよう、最端第２電極ＹＰｊの形状が定められてもよい。例えば、最端第２電極ＹＰｊと内側第２電極ＹＰｉとの時定数を合わせるよう、複数の第２補強導電線１２７によるメッシュ密度が定められてもよい。また、最端第２電極ＹＰｊと内側第２電極ＹＰｉとの時定数を合わせるよう、第２延長配線１７０の配線幅が定められてもよい。具体的には、最端第２電極ＹＰｊの抵抗値を減少させるために、複数の第２補強導電線１２７によるメッシュ密度を増加させてもよい。また、最端第２電極ＹＰｊの抵抗値を減少させるために、第２補強導電線１２７の線幅を第２導電線１１７の線幅より大きくしてもよい。また、最端第２電極ＹＰｊの抵抗値を減少させるために、第２延長配線１７０の線幅は、第２導電線１１７の線幅より大きくしてもよい。
【００６２】
同様にして、図１７に示すような第２接地配線１８２が形成されると、最端第１電極ＸＰｊ（ここでは、第１電極ＸＰ５）の容量が増加し、最端第１電極ＸＰｊと内側第１電極ＸＰｉとの時定数に差異が生じてしまう。そこで、最端第１電極ＸＰｊと内側第１電極ＸＰｉとの時定数を合わせるよう、最端第１電極ＸＰｊの形状が定められてもよい。例えば、最端第１電極ＸＰｊと内側第１電極ＸＰｉとの時定数を合わせるよう、複数の第１補強導電線１２６によるメッシュ密度が定められてもよい。また、最端第１電極ＸＰｊと内側第１電極ＸＰｉとの時定数を合わせるよう、第１延長配線１６０の配線幅が定められてもよい。具体的には、最端第１電極ＸＰｊの抵抗値を減少させるために、複数の第１補強導電線１２６によるメッシュ密度を増加させてもよい。また、最端第１電極ＸＰｊの抵抗値を減少させるために、第１補強導電線１２６の線幅を第１導電線１１６の線幅より大きくしてもよい。また、最端第１電極ＸＰｊの抵抗値を減少させるために、第１延長配線１６０の配線幅は、第１導電線１１６の線幅より大きくしてもよい。
【００６３】
また、本発明に係るタッチパネル１０１を、液晶表示装置や有機ＥＬ表示装置等の表示装置に適用することでタッチ検出機能を有する表示装置を実現することが可能となる。図１８は、本実施形態に係るタッチパネル１０１を有する表示装置３００の全体構成を示す図である。図１８に示すように、表示装置３００は、タッチパネル１０１と、駆動信号生成部１０２と、検出処理部１０３と、タッチパネル１０１及び表示パネル３０１の周縁を覆う額縁１０４と、画像を表示する表示パネル３０１と、表示パネル３０１を駆動する表示駆動回路３０２と、バックライト装置（図示せず）を含んで構成される。タッチパネル１０１、駆動信号生成部１０２、及び検出処理部１０３については、図１及び図２に示したものと同一であるから、この説明についてはここでは省略する。表示パネル３０１は、対向基板（図示せず）と、ＴＦＴ基板（図示せず）と、両基板間に挟持された液晶層（図示せず）とで構成され、タッチパネル１０１と重ね合わされて配置される。表示駆動回路３０２は、例えばゲート線駆動回路（図示せず）と、データ線駆動回路（図示せず）とを含んで構成される。ここで、タッチパネル１０１に含まれる最端第１電極ＸＰｊの一部及び最端第２電極ＹＰｊの一部は、額縁１０４からタッチ領域１３０側に露出している。タッチパネル１０１は、表示パネル３０１の表示面に取り付けられるいわゆる外付け型タッチパネルであってもよいし、タッチパネル１０１を表示パネル３０１のガラス基板と偏光板との間に設けるいわゆるオンセル型タッチパネルであってもよい。
【００６４】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００６５】
１００  タッチパネル装置、１０１  タッチパネル、１０２  駆動信号生成部、１０３  検出処理部、１０４  額縁、１１０  センサ領域、１１２  第１広幅部、１１３  第１狭幅部、１１４  第２広幅部、１１５  第２狭幅部、１１１ａ  第１辺、１１１ｂ  第２辺、１１１ｃ  第３辺、１１１ｄ  第４辺、１１６  第１導電線、１１７  第２導電線、１２０  額縁領域、１２１  第１引き出し線、１２２  第２引き出し線、１２６  第１補強導電線、１２７  第２補強導電線、１３０  タッチ領域、１５０  補強領域、１５１  延長領域、１６０  第１延長配線、１７０  第２延長配線、１８１  第１接地配線、１８２  第２接地配線、２００  絶縁膜、２０１  下側絶縁層、２０２  上側絶縁層、３００  表示装置、３０１  表示パネル、３０２  表示駆動回路、ＤＰ１  第１ダミー電極、ＤＰ２  第２ダミー電極、ＸＥ１，ＸＥ５，ＹＥ１，ＹＥ５  縁部、ＸＰ  第１電極、ＹＰ  第２電極。
【図１】
2017162234.tif 000003
【図２】
2017162234.tif 000004
【図３】
2017162234.tif 000005
【図４】
2017162234.tif 000006
【図５】
2017162234.tif 000007
【図６】
2017162234.tif 000008
【図７】
2017162234.tif 000009
【図８】
2017162234.tif 000010
【図９】
2017162234.tif 000011
【図１０】
2017162234.tif 000012
【図１１】
2017162234.tif 000013
【図１２】
2017162234.tif 000014
【図１３】
2017162234.tif 000015
【図１４】
2017162234.tif 000016
【図１５】
2017162234.tif 000017
【図１６】
2017162234.tif 000018
【図１７】
2017162234.tif 000019
【図１８】
2017162234.tif 000020